(57)【要約】【課題】ＣＤやＤＶＤ等のディスクを保持するディスク保持体として、ディスクのセンター孔を保持部としての凸部に対し容易に所定位置まで嵌合して安定性よく保持でき、かつ反復使用に耐え、保持力の耐久性を向上させたものを提供する。【解決手段】表裏面の少なくとも一方の面に情報が記録されたディスク５０を保持するディスク保持体Ａであり、熱可塑性樹脂発泡シートから成形し、ディスク５０を保護する保護部１とディスク５０を保持する保持部２とを含み、保持部２は、ディスクのセンター孔５２に嵌合する凸部２０で、保護部１から上方に突出する円筒状の脚部２１とその上部に連続する脱落防止部２２とを有し、脚部２１の少なくとも最小外径Ｄ１はディスクセンター孔５２の孔径Ｄ３よりも小さく、脱落防止部２２の最大外径Ｄ２はセンター孔の孔径Ｄ３よりも大きいものとする。【選択図】          図４
2005116137.tif 000002
【特許請求の範囲】
【請求項１】
表面および裏面の少なくとも何れか一方の面に情報が記録されたディスクを保持するディスク保持体であって、
前記ディスク保持体は、熱可塑性樹脂発泡シートから成形されており、ディスクを保護する保護部とディスクを保持する保持部とを含み、
前記保持部は、ディスクのセンター孔に嵌合する凸部であって、該凸部は前記保護部から上方に突出する円筒状の脚部と該脚部の上部に連続して形成された脱落防止部とを有し、脚部の少なくとも最小外径はディスクのセンター孔の孔径よりも小さく、脱落防止部の最大外径はディスクのセンター孔の孔径よりも大きいことを特徴とするディスク保持体。
【請求項２】
脱落防止部は平面視円形の上面部と該上面部の外周縁部から水平方向へ湾曲して膨出した湾曲側面部とからなることを特徴とする請求項１に記載のディスク保持体。
【請求項３】
前記上面部の中央部が下面側への肉盛り形状により厚肉に形成されていることを特徴とする請求項１または２に記載のディスク保持体。
【請求項４】
熱可塑性樹脂発泡シートが、ポリエステル系樹脂であることを特徴とする請求項１〜３のいずれか１項に記載のディスク保持体。
【請求項５】
前記ポリエステル系樹脂が、回収原料を主成分としたことを特徴とする請求項４に記載のディスク保持体。
【発明の詳細な説明】
【技術分野】
【０００１】
本発明は、表面及び裏面の少なくとも一方の面に情報が記録されたディスク、例えば、音楽用コンパクトディスク、ソフトウエアが記録されたＣＤ−ＲＯＭ等を含むコンパクトディスク（ＣＤ）やデジタルビデオディスク（ＤＶＤ）等を保持するディスク保持体に関するものである。
【背景技術】
【０００２】
近年、音楽、映像等の情報やソフトウエア等の情報の記録媒体として利用されているＣＤやＤＶＤ等のディスクは、直接販売されるほか、書籍等に添付されたり、ダイレクトメール等で送付されたりして、種々の形態で流通市場に提供されている。ディスクを流通市場に提供する場合の包装形態として、前記ディスクをプラスチック製のケース等に収納するか、あるいはボール紙等の厚紙を合わせて構成したケースに収納して保護していた。
【０００３】
プラスチック製のケースの場合は、ディスクを単にケースに収納しただけでは、収納されたディスクが不安定になるため、ケース内のディスク収納部の中央部にディスクのセンター孔を嵌合して保持させる保持部としての係合部付きの凸部を設けている。この凸部をケースと一体に設けるのは、ケースを成形する金型構造が複雑化することもあって、ケース自体がコスト高なものとなる。また、ディスクを直接ケースに収納することになるため、ディスクの記録面の保護のために、別の不織布等の保護シートを必要とすることにもなる。
【０００４】
また、厚紙よりなるケースの場合は、ディスクの記録面を保護するために専用の包装袋に収納した上で前記ケースに収納する必要があり、収納作業に手数がかかり、取り扱いが不便であると言った問題がある。
【０００５】
このような問題を解決するものとして、例えば、不織布等の可撓性シートを素材として一体成形し、ディスクのセンター孔が嵌合する保持部としての凸部を中央部に一体に設け、この凸部の外径を上端から基部まで前記センター孔の孔径より径大にして、その側面の変形を利用してディスクを保持するようにした保持体が提案されている（下記の特許文献１）。
【０００６】
しかし、可撓性シートが不織布よりなる場合は、不織布の繊維が一方方向に流れているために、縦横の伸び及び縮みが発生し、また偏肉が多くなって、中央部に備えるディスクの保持部としての凸部を安定して成形することが難しい。しかも、前記凸部を仮に逆テーパにするのはきわめて困難なものである。
【０００７】
さらに、可撓性シートから前記保持部としての凸部を成形するために、該凸部の立ち上がり部（側壁）が伸ばされて薄くなり十分な強度を保てない。その上、不織布のムラにより前記凸部の成形に無理が生じ、極端に薄くなることが多く、ディスクを装着するときに保持部が潰れてしまい、ディスクが保持できなくなる場合がある。そのため、やむを得ず、樹脂をコーティングして補強しているが、凸部寸法の許容誤差が０．０５ｍｍ前後であり、非常に厳しい規格でないと使用できない。
【０００８】
しかも、不織布は成形後の使用時も柔らかく、嵌合されるディスクの固定が難しい。特に凸部の外径をディスクのセンター孔より径大にして、その側面を縮径変形させてディスクを係合状態に保持するにしても、使用回数が多くなればへたりが生じ、十分な保持力を保てなくなる。また、外周部についても、成形後の冷却等で経時変化して収縮する。それによりディスクが浮く可能性がある。
【０００９】
さらに、前記のディスク保持体を改良するものとして、可撓性シートの剛性を確保するための凹凸部分や、ディスクを保持するための中央部の保持部（凸部）を確実に成形でき、耐久性を向上させるようにした不織布、熱可塑性樹脂シートや発泡シート等よりなるディスク保管ケースが提案されている（下記の特許文献２）。
【００１０】
しかし、この特許文献２のように、ポリエチレンテレフタレート樹脂等の熱可塑性樹脂発泡シート等を使用する場合において、ディスクのセンター孔に嵌合する保持部としての凸部の外径をその側面の基部までディスクのセンター孔より径大のものにしたのでは、ディスクの嵌合は殆ど不可能なものである。
【００１１】
すなわち、熱可塑性樹脂発泡シートの場合には、特に側面が薄肉化されていないものであると、センター孔より径大の側面外周部の発泡シート肉部がセンター孔の周縁で下方に押し込まれることになって、これが押し込み嵌合の抵抗となり、完全に嵌合することができなかったり、あるいは嵌合後に押し込まれた部分の反発力が作用してディスクの浮きが生じたりする。
【特許文献１】特開平１０−２３０９８８号公報
【特許文献２】特開２０００−１９１０６９号公報
【発明の開示】
【発明が解決しようとする課題】
【００１２】
本発明は、上記に鑑みてなしたものであり、熱可塑性樹脂発泡シートを素材として、ＣＤ及びＤＶＤ等の各種のディスクをケース等に収納する場合のディスク保持体として、ディスクのセンター孔を保持部としての凸部に対し容易にして、かつ該凸部の基部にまで確実に嵌合でき、特には反復着脱にも耐え、保持状態を良好に保ち、保持力の耐久性を向上した保持体を提供するものである。
【課題を解決するための手段】
【００１３】
本発明は、表面および裏面の少なくとも何れか一方の面に情報が記録されたディスクを保持するディスク保持体であって、上記の課題を解決するための手段として、熱可塑性樹脂発泡シートから一体に成形されており、ディスクを保護する保護部とディスクを保持する保持部とを含み、前記保持部は、ディスクのセンター孔に嵌合する凸部であって、該凸部は前記保護部から上方に突出する円筒状の脚部と該脚部の上部に連続して形成された脱落防止部とを有し、脚部の少なくとも最小外径はディスクのセンター孔の孔径よりも小さく、かつ脱落防止部の最大外径はディスクのセンター孔の孔径よりも大きいことを特徴とする。
【００１４】
前記のディスク保持体によれば、ディスクのセンター孔を保護部から突出する保持部としての凸部に嵌合して保持した状態において、ディスクの記録面を保護部により保護できるばかりか、特に、前記ディスクのセンター孔を前記凸部に嵌合する際、該凸部の上部が脱落防止部として前記センター孔より径大に形成されているにも拘わらず、熱可塑性樹脂発泡シートの弾力性により該脱落防止部を縮径変形させて押し込み嵌合できるとともに、該凸部下部の脚部の外径が前記センター孔より径小になっているために、センター孔の周縁で押し込まれる外周部分を脚部の径小の部分に逃がし、該脚部の基部まで容易に嵌合することができる。しかも、この嵌合状態においては、前記脱落防止部の径大部分が発泡シートの復元性により元の状態に復帰して、前記ディスクのセンター孔周辺に係合状態になって該ディスクの浮き上がりを確実に防止でき、脚部の部分に安定性よく保持できる。
【００１５】
そのため、押し込み嵌合による保持操作が容易であって、しかも確実に嵌合保持でき、例えば１ｍの高さから落下させても、ディスクが脱落することのない安定性のよい保持状態を維持できる。しかも、素材が熱可塑性樹脂発泡シートであるため、ディスクの着脱を反復しても嵌合による保持力が低下せず、耐久性にも優れる。
【００１６】
前記のディスク保持体において、前記脱落防止部は、平面視円形の上面部と該上面部の外周縁部から水平方向へ湾曲して膨出した湾曲側面部とからなるものが好ましい。すなわち、前記ディスクのセンター孔を前記保持部としての凸部に押し込み嵌合する際、前記センター孔の周縁が前記脱落防止部の湾曲側面部に当接することになって、該湾曲側面部を弾性変形させながら容易に嵌合できるとともに、前記上面部が該脱落防止部の湾曲側面部の過度の変形を規制するように作用する。そのため、ディスクのセンター孔を前記凸部に一旦押し込み嵌合すると、容易に外れることがなく、保持状態を良好に維持できる。
【００１７】
特に、前記上面部の中央部が下面側への肉盛り形状により厚肉に形成されていると、前記凸部の上面部の強度が向上し、ディスクの脱着操作の際に湾曲側面部が弾性変形しても前記上面部は殆ど変形することがなく、上面部の座屈等による弾性力の低下が殆ど生じず、従ってディスク着脱の反復に対する耐久性に優れる。
【００１８】
また、前記ディスク保持体の素材である熱可塑性樹脂発泡シートが、ポリエチレンテレフタレート等のポリエステル系樹脂である場合は、熱可塑性樹脂発泡シートの中でも耐摩耗性に優れており、ディスクの着脱の際に擦れによる屑が発生し難く、表面の平滑性も良好であることもあって、ディスク記録面の保護を良好になし得る。
【００１９】
特に、前記ポリエステル系樹脂が回収原料を主成分とする場合は、資源節約にも寄与できる。
【発明の効果】
【００２０】
上記したように本発明のディスク保持体によれば、熱可塑性樹脂発泡シートから一体に成形されてなるもので、製作が容易で、歩留まりを向上でき、生産性を高めることができるばかりか、特に、ディスクの保護部から突出した保持部としての凸部が、少なくとも最小外径がディスクのセンター孔より径小の脚部と、最大外径が前記センター孔より径大の上部の脱落防止部とからなることにより、前記ディスクのセンター孔の押し込み嵌合を容易にして、確実にかつ安定性よく保持できるとともに、反復着脱による保持力の低下を防止でき、耐久性に優れ、ディスクの保護を良好になし、各種ディスクを流通市場に提供する際の包装のための保持体として、また購買者が個人で反復着脱して使用する場合の保持体として好適に使用できる。
【発明を実施するための最良の形態】
【００２１】
次に本発明のディスク保持体の実施形態を図面に示す実施例に基づいて説明する。
【００２２】
図１は本発明の１実施例のディスク保持体を示す斜視図、図２は同上の平面図、図３は前図のＣ−Ｃ線の断面図であり、図４は前図の保持部付近の拡大断面図、図５は保持部としての凸部の形状を変更した保持部付近の拡大断面図、図６は図４の保持体によるディスク保持状態の保持部付近の拡大断面図である。
【００２３】
この実施例のディスク保持体Ａは、熱可塑性樹脂発泡シートから真空成形やプレス成形等の成形加工により一体成形されてなるもので、図のように、表裏一方の面に情報が記録されたＣＤやＤＶＤ等のディスク５０の記録面５１を保護する板状の保護部１と、該保護部１の中央部において片面側に突出して保持対象のディスク５０のセンター孔５２に嵌合する保持部２とを含み、さらに前記保護部１の外側に前記保持部２の突出側に膨出形成されたリブ状の補強凸部３を有している。
【００２４】
図示する実施例のディスク保持体Ａは、プラスチック製の開閉式のケースに収納できるように外形が矩形をなし、前記保護部１は、前記保持体Ａの矩形の外形に対して円形をなし、その外周に沿って該保護部１の外周を画するように前記リブ状の補強凸部３が設けられている。
【００２５】
前記補強凸部３は、前記保護部１の外周の全周に連続するリブ状をなすものであってもよいが、図の場合は、矩形の保持体Ａの外形の一方の相対向辺部で間隔をおいて両側に分離して設けられ、さらに保持体Ａの四隅部において外縁部に沿うリブ状の補強凸部３ａが連続して形成されている。４は前記補強凸部３および３ａにより画された凹部である。この補強凸部３の保護部１の上面からの高さは、保持対象のディスク５０の厚さＴと略同程度かもしくは僅かに高くなるように設定され、保持対象のディスク５０を前記補強凸部３の内側の保護部１の部分に嵌合状態に収納できるようになっている。５は前記一方の相対向辺部における前記両側補強凸部３，３間の前記間隔部分において前記保護部１の外周に沿って設けた凸部である。
【００２６】
前記保護部１は、その全域をディスク５０の記録面５１が当接する平面状に成形しておくこともできるが、図の場合は、中央の前記保持部２の周辺近傍に設けた環状の凸部１１と、該保護部１の外周近傍に設けた環状の凸部１２とを備えており、前記ディスク５０の記録面５１を僅かに浮かせた状態に受支できるように設けられている。
【００２７】
前記保持部２は、前記保護部１の中央部において該保護部１から上面側に膨出形成された凸部２０であり、該凸部２０は、前記保護部１から連続して上方に前記ディスク５０の厚さＴと略同程度か僅かに高く突出する円筒状の脚部２１と、該脚部２１の上部に連続して拡径形成された脱落防止部２２とからなり、断面略キノコ形をなしている。
【００２８】
そして、図４及び図５に拡大して示すように、前記脚部２１の少なくとも最小外径Ｄ１がディスク５０のセンター孔５２の孔径Ｄ３よりも小さく、かつ前記脱落防止部２２の最大外径Ｄ２がディスク５０のセンター孔５２の孔径Ｄ３よりも大きく形成されている。これにより、前記ディスク５０のセンター孔５２を前記脱落防止部２２を弾性変形させ縮径させながら前記脚部２１の部分に押し込み嵌合できて、かつ嵌合したディスク５０を前記脱落防止部２２により係合状態に保持できるようになっている。
【００２９】
前記凸部２０の脚部２１については、図１〜図４のように脚部外周面が前記保護部１の上面に対して垂直の円筒状をなす場合ほか、図５のように脚部外周面が上部側ほど僅かに外方へ拡がった逆テーパ状に形成しておくこともできる。この逆テーパ状の脚部２１のほうが、ディスク５０のセンター孔５２を嵌合し易くて、かつ抜脱に対する抵抗も大きくなる。
【００３０】
前記の逆テーパ状の脚部２１の場合、前記最小外径Ｄ１は該脚部２１の基部位置（下端部）の外径になるが、実施上は、該脚部２１の高さ方向の略中間点より下半部が前記センター孔５２の孔径Ｄ３よりも径小であるのが好ましく、さらには該脚部２１の上端位置の最大外径Ｄ１’も前記センター孔５２の孔径Ｄ３よりも径小であるのが、凸部２０に対するディスク５０の嵌合操作の容易性の点から特に好ましい。
【００３１】
また、前記凸部２０の上部の脱落防止部２２は、図４および図５に拡大して示すように、前記センター孔５２の孔径Ｄ３より径小の平面視円形の上面部２２ａと、該上面部２２ａの外周縁部から水平方向へ湾曲して膨出した湾曲側面部２２ｂとからなり、前記センター孔５２の周縁が前記脱落防止部２２の湾曲側面部２２ｂに当接することで、該湾曲側面部２２ｂを弾性変形させながら容易に嵌合できるように形成されている。なお、前記最大外径Ｄ２は前記湾曲側面部２２ｂの最大外径である。
【００３２】
前記脚部２１の最小外径Ｄ１、前記脱落防止部２２の最大外径Ｄ２の実寸法については、熱可塑性樹脂発泡シートの材質、発泡倍率、厚み等によっても異なるが、例えば、ポリエチレンテレフタレート樹脂で、発泡倍率２．７倍、厚み０．７ｍｍのものにおいて、前記ディスク５０のセンター孔５２の孔径Ｄ３が、この種のディスクの標準である１５．０〜１５．１ｍｍの場合、前記脚部２１の最小外径Ｄ１は１４．７〜１４．９ｍｍ、前記脱落防止部２２の最大外径Ｄ２は１５．３〜１５．５ｍｍの範囲に設定するのが好ましい。
【００３３】
すなわち、前記脱落防止部２２の最大外径Ｄ２が１５．３ｍｍより小さいと、凸部２０に嵌合したディスク５０が抜脱し易くなり、前記最大外径Ｄ２が１５．５ｍｍより大きいと、ディスク５０を凸部２０の脚部２１の部分にまで嵌合し難くなる。また、前記脚部２１の最小外径Ｄ１が１４．７ｍｍより小さいと、発泡シートからの凸部２０の成形が困難になり、また１４．９ｍｍより大きいと、ディスク５０を凸部２０に嵌合できなくなる。したがって、前記脚部２１の最小外径Ｄ１および前記脱落防止部２２の最大外径Ｄ２を前記の範囲に設定するのがよい。
【００３４】
さらに、前記脱落防止部２２の上面部２２ａは、その中央部が下面側への肉盛り形状により厚肉に形成されている。２３ａはその厚肉部を示し、この厚肉部２３ａにより上面部２２ａを補強でき、ディスク５０の脱着による上面部２２ａの変形および変形に伴う座屈や弾性力の低下を防止できることになる。
【００３５】
上記のディスク保持体Ａの構成素材である熱可塑性樹脂発泡シートとしては、ポリエステル系樹脂の発泡シートが、適度に剛性および弾性があってかつ耐摩耗性や表面の平滑性に優れていることから特に好適に用いられる。中でも、機械的特性や経済性の点からポリエチレンテレフタレート（ＰＥＴ）、ポリブチレンテレフタレート（ＰＢＴ）を主成分とするものが好適に用いられる。このポリエステル系樹脂は結晶性であるが、この結晶化度を高くすると発泡シートが脆くなりやすく、また、発泡シートの表面が硬くなり、ディスクにとっては発泡シートの表面は柔らかい方が好ましいので、結晶化度は２０％以下、好ましく１５％以下とするのがよい。
【００３６】
また、前記ポリエステル系樹脂として、回収原料を主成分とした原料を使用すると、資源節約に大いに寄与できる。回収原料として用いることのできるポリエステル系樹脂は、ペットボトルのような非発泡の成形品として使用された後に回収された物や、ポリエステル系樹脂の押出発泡シートから成形品を成形する際に発生するトリミングロス等があげられる。中でもＰＥＴボトルの回収原料が好ましく、これは、いわゆるＰＥＴボトルとして一旦使用されたボトルを回収した後、これを粉砕してフレーク状にして夾雑物を取り除き、洗浄して乾燥したものである。
【００３７】
上記の回収原料は、ポリエステル系樹脂のうち、５０重量％以上、好ましくは７０重量％以上、更に好ましくは９０重量％以上とするのがよい。
【００３８】
前記ポリエステル系樹脂の押出発泡シートは、成形時に厚みが増えないこと、及び外観を美麗にするために、発泡剤として窒素を使用したものが好ましい。
【００３９】
前記のほか、ポリプロピレンやポリエチレン等のポリオレフィン系樹脂、ポリ塩化ビニル樹脂その他の適度の剛性および弾性を有し、かつ耐摩耗性や平滑性のある合成樹脂発泡シートを用いることができる。さらに、前記の発泡シートに非発泡樹脂をラミネートして表面の平滑性を改善した発泡シートも好適に用いることができる。
【００４０】
前記の発泡シートの厚みは、使用素材によっても異なるが、ポリエステル系樹脂発泡シートの場合、０．３〜１．２ｍｍ、好ましく０．５〜１．２ｍｍであり、さらに好ましくは０．６〜０．８ｍｍ程度である。発泡倍率は、１〜４倍、好ましくは２〜３倍程度のものが好適である。厚みが前記より小さくなると、充分な支持強度が得られなくなり、また厚みが前記より大きくなると、シートからの成形が困難になる上に嵩高になる。また、発泡倍率が前記より小さいと、剛性が高くなり、保持部としての凸部２０に対するディスク５０の嵌合が困難になる上、使用樹脂量が多くなり不経済である。発泡倍率が前記より大きくなると、ディスク保持体Ａとして十分な強度が得られなくなる。成形品であるディスク保持体の厚みは、ディスクの保護部において０．６〜０．９ｍｍが好ましい。またディスク保持体の発泡倍率は２〜４倍が好ましい。
【００４１】
この実施例のディスク保持体Ａは、前記の熱可塑性樹脂発泡シートから、図３に示すような断面形状となる上下一対の成形型を備える加熱プレス成形機により成形される。特に、保持部２としての凸部２０については、脚部２１および脱落防止部２２の外周面が上型により成形され、また前記脱落防止部２２の上面部２２ａは下型により中央部が下面側への肉盛り状をなすように成形される。
【００４２】
この実施例のディスク保持体Ａは、ＣＤやＤＶＤ等のディスク５０を、例えばプラスチック製等のケースに収納し包装する際に、該ディスク５０を保持し保護するのに使用するもので、この際、図７のように、このディスク保持体Ａをケース６０内にセットしておいて、ディスク５０のセンター孔５２を前記保持体Ａの保護部１から突出する保持部２としての凸部２０に押し込み嵌合し、記録面５１を前記保護部１に対向させて保持する。例えば、前記ディスク５０を保護部１における内方の環状の凸部１１と、外周近傍の環状の凸部１２とにより、記録面５１を僅かに浮かせた状態に受支する。
【００４３】
特に、この嵌合の際、前記凸部２０の上部が脱落防止部２２として前記ディスク５０のセンター孔５２より径大であり、前記センター孔５２の周縁が前記脱落防止部２２の湾曲側面部２２ｂに当接することになるが、熱可塑性樹脂発泡シートの持つ弾力性により前記湾曲側面部２２ｂを縮径変形させながら押し込み嵌合でき、しかも該凸部２０の下部の脚部２１の少なくとも最小外径Ｄ１が前記センター孔より径小になっているために、該脚部２１の部分においても詰まりなく、その基部にまで容易にかつ確実に嵌合することができる。
【００４４】
すなわち、仮に、前記凸部２０の脚部２１の外径が高さ方向の全域にわたって前記センター孔５２の孔径Ｄ３より径大の場合には、前記脚部２１の外周部分が基部の側に押し込まれて詰まりが生じ、基部位置まで完全に嵌合することができず、また押し込まれた部分の反発力でディスクに浮きが生じ易くなるが、本発明の場合には、前記脚部２１の少なくとも基部側の最小外径Ｄ１がセンター孔５２の孔径Ｄ３より径小であるために、前記のように押し込まれる外周部分を脚部２１の径小の部分に逃がし、詰まりを生じさせることなく、脚部の基部にまで確実に嵌合できる。
【００４５】
しかも、この嵌合状態においては、前記脱落防止部２２の湾曲側面部２２ｂによる径大部分が発泡シートの復元性により元の状態に復帰し、前記ディスク５０のセンター孔５２の周辺に係合状態になるため、該ディスク５０の浮き上がりを防止でき、脚部２１の部分に安定性よく保持できることになる。このため、例えば１ｍの高さから落下させても、ディスク５０の脱落のおそれのない保持状態を得ることができる。
【００４６】
しかも、構成素材が熱可塑性樹脂発泡シートであるため、不織布等に比べて弾力性や復元性がよく、ディスク５０の嵌合による着脱を反復しても保持力が低下せず、耐久性にも優れる。
【００４７】
前記のディスク保持体Ａは、図７のように、プラスチック製の開閉式の容体６１と蓋体６２とからなるケース６０において、容体６１の内部にセットしておいて、ケース６０内でのディスク記録面５１の保護を兼ねる保持体として使用するほか、該保持体Ａにディスク５０を上記同様に保持させた状態で、合成樹脂フィルム製等の袋に収納したり、厚紙製のケースに収納して、書籍添付用やダイレクトメール等による送付用の包装に使用することもできる。
【００４８】
図８及び図９の実施例は、基本的に上記した実施例と同様のディスク保持体Ａにおいて、矩形の外形の一側端に、ヒンジ部を介して略四角形に巻回できる嵌合部片６を一体に延設し、開閉式の前記ケース６０にセットして使用する場合に、四角形に巻回した前記結合部片６を、図９のように前記ケース６０の容体６１と蓋体６２とのヒンジ結合部６３の部分に嵌合して、ケース内に安定性よくセットできるようにした場合を示している。
【００４９】
また、図１０の実施例は、基本的に上記した実施例と同様のディスク保持体Ａにおいて、矩形の外形の一側端に延長板部７を一体に設けるとともに、この延長板部７にケース７０内に立設されたピン７１に嵌合する係合孔８を設けておいて、該保持体Ａにディスク５０を上記同様に保持させた状態で、前記係合孔８をケース７０内のピン７１に嵌合して、積み重ね状態に保持できるようにした場合を示している。
【００５０】
これらいずれの実施例も、他の構成、特にディスクの保持構造は、上記の実施例と同じであり、同構成部分に同一の符号を付してその説明を要略する。
【００５１】
なお、ディスク保持体Ａの外形形状は、基本的に図のように矩形にしておくのがよいが、使用形態によっては、ディスク径より大きい円形や多角形にして実施することもできる。
【産業上の利用可能性】
【００５２】
本発明のディスク保持体は、ＣＤやＤＶＤ等の各種ディスクを流通市場に提供する際の包装のための保持体として、またディスクを反復着脱して使用する場合の保持体として好適に使用できる。
【図面の簡単な説明】
【００５３】
【図１】本発明の１実施例のディスク保持体を示す斜視図である。
【図２】同上の平面図である。
【図３】前図のＣ−Ｃ線の断面図である。
【図４】前図の保持部付近の拡大断面図である。
【図５】保持部としての凸部の形状を変更した保持部付近の拡大断面図である。
【図６】ディスク保持状態の保持部付近の拡大断面図である。
【図７】同上のケースでの使用状態を示す斜視図である。
【図８】他の実施例のディスク保持体の斜視図である。
【図９】同上のディスク保持体のケースでの使用状態示す断面図である。
【図１０】他の実施例の使用状態の斜視図である。
【符号の説明】
【００５４】
Ａ：ディスク保持体
１：保護部
２：保持部
３：補強凸部
３ａ：補強凸部
４：凹部
５：凸部
６：嵌合部片
７：延長板部
８：係合孔
１１：環状の凸部
１２：環状の凸部
２０：凸部
２１：脚部
２２：脱落防止部
２２ａ：上面部
２２ｂ：湾曲側面部
２３ａ：厚肉部
５０：ディスク
５１：記録面
５２：センター孔
６０：ケース
６１：容体
６２：蓋体
６３：ヒンジ結合部
７０：ケース
７１：ピン
Ｄ１：脚部の最小外径
Ｄ１’：脚部の最大外径
Ｄ２：脱落防止部の最大外径
Ｄ３：センター孔の孔径
【図１】
2005116137.tif 000003
【図２】
2005116137.tif 000004
【図３】
2005116137.tif 000005
【図４】
2005116137.tif 000006
【図５】
2005116137.tif 000007
【図６】
2005116137.tif 000008
【図７】
2005116137.tif 000009
【図８】
2005116137.tif 000010
【図９】
2005116137.tif 000011
【図１０】
2005116137.tif 000012